(57)【要約】  【目的】  ディスクに反りが生じていても、これをトレイに載せて確実に筺体内に挿入することのできるディスク駆動装置を提供する。  【構成】  筺体１に開口部５が設けられ、その開口部５にトレイ６が出し入れ可能に設けられる。トレイ６にはディスクＤを置く受容部８が形成され、その受容部８の周辺部にはトレイ６の挿入時においてクランプ盤１２を押し上げる突起１０が形成される。この突起１０による押圧でクランプ盤１２が上方に移動させられるため、ディスクＤが反っていてもその外周部端面ＤＢとクランプ盤の外周部端面１２Ａとの当接は防止され、筺体１内部へのトレイ６の挿入が確実に行われる。【選択図】  図６
2005116111.tif 000002
【特許請求の範囲】
【請求項１】
情報記録ディスクが置かれる受容部を形成して筺体に出し入れ可能に設けられるトレイと、その受容部に置かれた情報記録ディスクを前記受容部から所定量離間させて保持した後に前記情報記録ディスクを回転させるためのターンテーブルと、このターンテーブルと対向して前記情報記録ディスクの中心部を挟み込む回転自在なクランプ盤とを前記筺体に具備して成るディスク駆動装置において、
前記トレイが前記筺体の外部から内部に移動する方向に対して前記受容部の前方であり、かつ前記トレイの前記クランプ盤と対向する面側であって、前記トレイが前記筺体の外部から内部に移動する際に前記クランプ盤の下を通過する位置に、前記クランプ盤の直径以内の間隔に配される２つの突起が設けられると共に、その両突起は前記トレイが筺体の外部から内部に移動するときにクランプ盤の中心を挟む位置を通過して該クランプ盤を情報記録ディスクから離す方向へ押圧することのできる高さを有していることを特徴とするディスク駆動装置。
【発明の詳細な説明】
【技術分野】
【０００１】
本発明は、コンパクトディスク(ＣＤ)、ＣＤ−Ｒ、又はＤＶＤといったディスク状情報記録媒体に音楽などの情報を記録したり、その記録情報を再生するのに用いられるディスク駆動装置に関するものである。
【背景技術】
【０００２】
従来、ディスク駆動装置の一つに、ディスク状記録媒体(以下、情報記録ディスク又は単にディスクと略称する)をトレイに載せて出し入れする方法を用いたものがある。その概略を図７に示して説明すれば、１は装置の筺体、６は筺体に出し入れ可能にして設けられたトレイであり、このトレイ６にはディスクＤを載せて置くための一段下がった円形の受容部８が形成される。又、筺体１の内部にはディスクＤを駆動（ディスクの記録情報を再生または情報の記録）する機器類として、トレイ６の受容部８に置かれたディスクＤを回転させるためのターンテーブル１１と、その駆動源を成すスピンドルモータ１３、並びにターンテーブル１１に対向するクランプ盤１２ほか、回転中のディスクＤに沿ってその半径方向に移動する図示せぬ光ピックアップなどが設けられる。
【０００３】
そして、この種のディスク駆動装置では、受容部８に置かれたディスクＤの中心部をターンテーブル１１とクランプ盤１２とで挟み、これをトレイ６上に浮き上がらせた状態で回転させつつ記録情報を光ピックアップで読み取る一方、ディスクＤを交換するときなどにはターンテーブル１１が降下してディスクＤを受容部８に入れ戻し、以てディスクＤを載せたトレイ６が筺体１の外部に押し出されるようになっている。
【０００４】
ここに、ディスクの排出が円滑に行われるように、受容部の周辺部でトレイに突起を設けたものが提案されている（例えば、特許文献１）。
【０００５】
【特許文献１】特開２００２−３５２４９９号公報（請求の範囲、図６）。
【発明の開示】
【発明が解決しようとする課題】
【０００６】
然し、特許文献１に示される突起は、これをディスクの端面に当接させてクランプ盤に張り付いてしまったディスクを受容部内に落下させるというものであり、ディスクやトレイが反っていた場合の不都合を解消するものでない。
【０００７】
つまり、受容部にディスクを載せたトレイが筺体の外部から内部に向けて移動するとき、ディスクやトレイに大きな反りが生じていると、図８のようにディスクの外周部ＤＡがトレイ６の上面より突き出して、ディスクの外周部端面ＤＢがクランプ盤の外周部端面１２Ａと当接し、これによってトレイ６が筺体１の内部に移動できなくなることがあり、場合によってはクランプ盤１２がディスクＤを引っ掛けたまま、ディスクＤをトレイ６の受容部８から逸脱させてディスクＤの情報記録面に傷をつけたり、トレイ６を含む駆動系の動作不良を招くことがある。
【０００８】
尚、ディスクの反りはディスク規格の平面度で規定され、例えばＣＤでは平面度０．４ｍｍ以下で、ある程度の反りが許容されている。一方、コストを低く抑えるため、トレイは合成樹脂を成形して製造され、その受容部は平面度０．４ｍｍ以下で設計されている。
【０００９】
そこで、通常はそれらの反りを見込んで、トレイが筺体の外部から内部へ移動するときその受容部に載せられたディスクとクランプ盤とが干渉し合わぬよう両者の距離を大きく余裕をとったり、トレイの材質や形状によりその反りを少なくする対策が施されている。
【００１０】
ところが、市場には熱変形や経時変化によりディスク規格で定められた平面度よりも大きく反ったディスクが存在する。このため、ディスクとクランプ盤の距離をあまり狭くすることができず、ディスク駆動装置全体の薄型化の障害となっていた。又、トレイの材質も熱や経時変化による反りの少ないグレードが選ばれるため、コストダウンを図ることが困難であった。
【００１１】
本発明は以上のような事情に鑑みて成されたものであり、その目的は、ディスク駆動装置の薄型化と低廉化を図りながら、動作の信頼性を向上させることにある。
【課題を解決するための手段】
【００１２】
本発明は上記目的を達成するため、情報記録ディスクＤが置かれる受容部８を形成して筺体１に出し入れ可能に設けられるトレイ６と、その受容部８に置かれた情報記録ディスクＤを前記受容部８から所定量離間させて保持した後に前記情報記録ディスクＤを回転させるためのターンテーブル１１と、このターンテーブル１１と対向して前記情報記録ディスクＤの中心部を挟み込む回転自在なクランプ盤１２とを前記筺体１に具備して成るディスク駆動装置において、
前記トレイ６が前記筺体１の外部から内部に移動する方向に対して前記受容部８の前方であり、かつ前記トレイ６の前記クランプ盤１２と対向する面側であって、前記トレイ６が前記筺体１の外部から内部に移動する際に前記クランプ盤１２の下を通過する位置に、前記クランプ盤１２の直径以内の間隔に配される２つの突起１０が設けられると共に、その両突起１０は前記トレイ６が筺体１の外部から内部に移動するときにクランプ盤１２の中心を挟む位置を通過して該クランプ盤１２を情報記録ディスクＤから離す方向へ押圧することのできる高さを有していることを特徴とする。
【発明の効果】
【００１３】
本発明に係るディスク駆動装置によれば、上記のような構成により以下に記載するような優れた効果を得ることができる。
（１）トレイの受容部に置かれるディスクとクランプ盤との間隔を狭くして、ディスク駆動装置全体の薄型化が図れる。
（２）市場に存在する殆どのディスクに対してディスク駆動装置の動作不良が発生せず、しかもディスクの情報記録面を傷つけず、装置の信頼性が向上する。
（３）特に、トレイが筺体内部に向かって移動する時に、２つの突起がクランプ盤の中心を挟む位置を通過してクランプ盤をディスクから離す方向に押圧することから、突起により押圧されたクランプ盤が突起の配列方向に傾かず、ディスクとクランプ盤の当接を防止しながらディスク及びトレイの挿入動作を確実に行える。
（４）トレイに安価な材料を使用できるため、コストダウンを図ることができる。
【発明を実施するための最良の形態】
【００１４】
以下、図面に基づいて本発明に係るディスク駆動装置を詳細に説明する。図１は本発明に係るディスク駆動装置の斜視概略図を示す。本例において、係るディスク駆動装置は情報記録ディスク（ディスクＤ）としてＣＤ（コンパクトディスク）の記録情報を再生するＣＤプレーヤとされる。１は装置の筺体（外装ほか内部のシャーシを含む）であり、その前面は操作部２として内部の制御回路に特定の制御信号を与える操作スイッチ類３を備えるほか、この操作部２には制御系の作動状態などを示す表示部４、及びスリット状の開口部５が設けられる。６はその開口部に出し入れ可能にして設けられるトレイであり、このトレイ６上には再生すべきディスクＤが載せ置かれる。尚、操作スイッチ類３には主電源スイッチほか、ディスクの駆動開始釦、選曲頭出し、一時停止、並びにイジェクトスイッチ（ディスク排出用）などが含まれる。
【００１５】
そして、本例のディスク駆動装置によれば、開口部５より水平に張り出すトレイ６上に所望のディスクＤを置き、これをトレイ６の押し込みにより筺体１内部に装填して記録情報の再生を実行することができ、ディスクＤを交換するときなどにはイジェクトスイッチの押圧操作を以て当該ディスクＤをトレイ６に載せたまま開口部５より外部へ排出することができる。
【００１６】
次に、図２はトレイの斜視図であり、図３にはその縦断面を示す。これらの図で明らかなように、本例においてトレイ６は合成樹脂より一体成形される長方形の板状であり、その両側縁には筺体１内部の図示せぬガイドにより水平方向に摺動自在にして支持される突条７が形成される。
【００１７】
一方、トレイ６の上面にはディスクを置くための円形をしたテーパ状の窪地で成る受容部８が形成される。受容部８の内側には同心円状の棚８Ａ，８Ｂが形成されるが、それらは何れもディスクの周縁を支持するためのものであり、このうち外周側の棚８Ａは大径のディスク（本例において直径１２cmのＣＤ）用とされ、内周側の棚８Ｂは小径のディスク（本例において直径８cmのシングルＣＤ）用とされる。
【００１８】
又、トレイ６には受容部８の中心からその外方に向けて延びる長孔９が開通される。この長孔９は受容部８に置かれたディスクの下方からその情報記録面にレーザ光を照射するためのものであり、これはレーザ光を送受しながらディスクの半径方向に移動する図示せぬ光ピックアップの移動経路に沿って形成され、特に長孔９の一端部ではディスクの下面中心部を支持する後述のターンテーブルが通過し得るようになっている。
【００１９】
更に、トレイ６の上面（後述するクランプ盤と対向する面側）には受容部８の周辺部で所定の高さ（１〜１０mm程度）を有する２つの突起１０が形成される。本例において、係る突起１０は図２に示すようにトレイ６の挿入方向に対して傾斜する斜面１０Ａを有したテーパ状（本例において截頭角錐状）であり、その両突起１０は受容部８の近傍（トレイ６が筺体１の外部から内部に移動する方向に対して受容部８よりも前方の位置）にあって後述するクランプ盤の直径以内の間隔（クランプ盤の直径より小さい間隔であってトレイが筺体内部に移動するときにクランプ盤の中心を挟む位置を通過する状態）に配され、当該クランプ盤を押し上げてディスクとクランプ盤が当接しないようにする働きをする。
【００２０】
そして、係る突起１０によれば、受容部８に置かれたディスクが上方（非記録面側）に大きな反りを生じている場合でも、当該ディスクの挿入時においてその外周部端面がクランプ盤に当接する直前にクランプ盤を押し上げてディスクの通過を許容し、トレイ６及びディスクの挿入動作を確実に行うことができる。
【００２１】
以下、係るディスク駆動装置の作用を説明すると、図４はディスクＤを載せたトレイ６が筺体１の内部に引き込まれた状態であり、このとき受容部８とこれに置かれたディスクＤとの中心部がターンテーブル１１とクランプ盤１２との間に位置付けられる。ここで、ターンテーブル１１は受容部８に置かれたディスクＤを支持しながら回転させるためのものであり、１３はその駆動源を成すモータを示している。特に、モータ１３とその出力軸に取り付けられるターンテーブル１１は図示せぬ光ピックアップなどと共に昇降可能な一体のユニットを構成し、ディスクＤを再生駆動するに際しディスクＤに向けて上昇移動するようになっている。
【００２２】
一方、クランプ盤１２はターンテーブル１１と対向する位置にあって、筺体１の上部に所定量の上昇移動が可能な状態で回転自在に設けられる。そして、ディスクＤを再生駆動するとき、ターンテーブル１１が長孔９を通じて受容部８内に進行し、ここに置かれたディスクＤの中心部を担持することになる。
【００２３】
図５はその再生駆動時の状態であり、このときディスクＤはその中心部をターンテーブル１１とクランプ盤１２とで挟み込まれ、受容部８の上方に僅か浮上した状態で回転される。斯くて、回転中のディスクＤに沿って図示せぬ光ピックアップが半径方向に移動しながらその記録情報を読み取ることになる。
【００２４】
ところで、受容部８にディスクＤを載せたトレイ６が筺体１の外部から内部に向けて移動するとき、ディスクＤやトレイ６に大きな反りが生じていると、図８に示して説明したように、ディスクＤの外周部ＤＡがトレイ６の上面より突出し、該ディスクの外周部端面ＤＢがクランプ盤１２の外周部端面１２Ａと当接してトレイ６が筺体１の内部に移動できなくなることがある。
【００２５】
これに対し、本発明のディスク駆動装置によれば、図６に示すよう筺体１内へのトレイ６の移動（ディスクの挿入、装填）時において、クランプ盤１２はその下を通過する突起１０による下面の押圧でディスクＤから離れる方向である上方へ移動させられ、ディスクの外周部端面ＤＢがクランプ盤１２の外周部端面１２Ａと当接しなくなる。ここで、図６の示す例ではクランプ盤１２がその前側を突起１０により押し上げられてディスクに対し傾斜しているが、クランプ盤１２がディスクＤと平行に移動してもよい。したがって、本発明によれば、ディスクＤが非記録面側に大きく反っていても、確実にトレイ６の挿入動作を行うことができる。因に、ディスクが記録面側に反っている場合には、その非記録面によりクランプ盤を押し上げることができる。
【００２６】
尚、上記例ではディスクをコンパクトディスクとして説明したが、本発明はこれに限らずＣＤ−Ｒ、ＣＤ−ＲＯＭ、ＤＶＤといったディスク状記録媒体全てを対象に適用でき、特に記録情報を随時書き換え可能なディスクを対象とする場合には再生機能ほか記録機能も兼備されること勿論である。
【図面の簡単な説明】
【００２７】
【図１】本発明に係るディスク駆動装置の外観を示した斜視概略図
【図２】同装置に用いるトレイを示した斜視図
【図３】同トレイの縦断面図
【図４】レイが筺体内部に引き込まれた状態を示す概略図
【図５】ディスクの再生駆動時の状態を示す概略図
【図６】本発明のディスク駆動装置におけるトレイ挿入時の状態を示す説明図
【図７】従来装置の概略図
【図８】従来装置におけるトレイ挿入時の状態を示す説明図
【符号の説明】
【００２８】
１  筺体
２  操作部
３  操作スイッチ類
４  表示部
５  開口部
６  トレイ
７  突条
８  受容部
８Ａ，８Ｂ  棚
９  長孔
１０  突起
１１  ターンテーブル
１２  クランプ盤
１３  モータ
【図１】
2005116111.tif 000003
【図２】
2005116111.tif 000004
【図３】
2005116111.tif 000005
【図４】
2005116111.tif 000006
【図５】
2005116111.tif 000007
【図６】
2005116111.tif 000008
【図７】
2005116111.tif 000009
【図８】
2005116111.tif 000010